(57)【要約】【課題】  ソフトルアーなどの軽量材料で形成されたボディを有するルアーの飛距離を伸ばすことができるルアーを提供する。【解決手段】  第一ボディと、第一ボディの上部に配置される第二ボディと、を備え、第一ボディは、重量材料で形成され、下部にフックを有しており、第二ボディは、軽量材料で形成され、前部に第一ボディの前部に揺動自在に連結される連結部を有している。【選択図】  図１
2019103429.tif 000002
【特許請求の範囲】
【請求項１】
第一ボディと、
前記第一ボディの上部に配置される第二ボディと、
を備え、
前記第一ボディは、重量材料で形成され、下部にフックを有しており、
前記第二ボディは、軽量材料で形成され、前部に前記第一ボディの前部に揺動自在に連結される連結部を有している、
ことを特徴とするルアー。
【請求項２】
前記第一ボディは、ルアー下部を摸した形態に形成されており、
前記第二ボディは、ルアー上部を摸した形態に形成されており、
前記第一ボディの上部に前記第二ボディが配置されることでルアー全体の形態を成すように構成されている、
請求項１に記載のルアー。
【請求項３】
前記第一ボディ及び前記第二ボディは、前後方向に延在する縦長形状に形成されており、
前記第一ボディは、上面の前後方向に前記第二ボディを配置する凹状部を有し、
前記第二ボディは、下面の前後方向に前記第一ボディの凹状部に沿う凸状部を有している、
請求項１又は２に記載のルアー。
【請求項４】
前記第一ボディの体幅は、前記第二ボディの体幅よりも大きく形成されている、
請求項２又は３に記載のルアー。
【請求項５】
前記第一ボディは、前部フックと後部フックとを備え、
前記第二ボディは、前記第一ボディの後部フックよりも後方に突出する尾部を備えている、
請求項１〜４のいずれか１項に記載のルアー。
【請求項６】
前記尾部は、前記第二ボディの上部から上向きに延在する水受け面を有している、
請求項５に記載のルアー。
【発明の詳細な説明】
【技術分野】
【０００１】
本発明は、釣りに用いられるルアーに関する。
【背景技術】
【０００２】
ルアーを用いたルアーフィッシングが普及している。ルアーを用いたルアーフィッシングによる捕獲対象は、主として小魚を捕食する大型の魚（以下、「フィッシュイータ」という）である。ルアーは、キャストによって空中を飛行して着水する。ルアーは、着水後に自重で水中に沈降する。ルアーは、リールでラインを巻き取るリトリーブによって所望の水深（レンジ）で泳がされる。フィッシュイータは、このルアーに食いつく。ルアーにはフックが取り付けられている。フィッシュイータは、ルアーに食いついてフックが刺さることで釣り上げることができる。
【０００３】
ルアーのキャストは、例えば、水深が深いポイントや木の陰に近いポイントなどを狙って行われる。ルアーのキャストは、フィッシュイータに気付かれない位置から遠投することが多い。また、魚がハードルアーに慣れてしっている（いわゆるスレた）状況などでは、ワームなどのソフトルアーを用いる場合がある。ソフトルアーを用いる場合、飛距離を得るためなどにジグヘッドリグや重いシンカーを使用したリグなどを用いることがある。
【０００４】
なお、この種の先行技術として、例えば、遠投性に優れたルアーとするために、ルアー本体を金属製としたものがある（例えば、特許文献１参照、）。しかし、このルアーは、ルアー本体が金属製であるためソフトルアーを用いる状況での使用には適さない。
【先行技術文献】
【特許文献】
【０００５】
【特許文献１】特開２０１７−１３９９７０号公報
【発明の概要】
【発明が解決しようとする課題】
【０００６】
ところで、ソフトルアーの場合、上記したジグヘッドリグや重いシンカーを使用したリグなどを用いても大幅な重量増加は難しい。このため、ソフトルアーなどの軽量材料で形成されたルアーは、狙えるポイントまでの距離が限られる。
【０００７】
そこで、本発明は、軽量材料で形成されたボディを有するルアーの飛距離を伸ばすことができるルアーを提供することを目的とする。
【課題を解決するための手段】
【０００８】
上記目的を達成するために、本発明は、第一ボディと、前記第一ボディの上部に配置される第二ボディと、を備え、前記第一ボディは、重量材料で形成され、下部にフックを有しており、前記第二ボディは、軽量材料で形成され、前部に前記第一ボディの前部に揺動自在に連結される連結部を有している。この明細書及び特許請求の範囲の書類中における「軽量材料で形成された第二ボディ」は、例えば、ワームなどのソフトルアーを含む。
【０００９】
この構成により、ルアーをキャストすることで、重量材料の第一ボディが先行した状態で空中を飛行する。重量材料の第一ボディが先行して飛行することで、軽量材料で形成された第二ボディを備えたルアーの飛距離を伸ばすことができる。
【００１０】
また、前記第一ボディは、ルアー下部を摸した形態に形成されており、前記第二ボディは、ルアー上部を摸した形態に形成されており、前記第一ボディの上部に前記第二ボディが配置されることでルアー全体の形態を成すように構成されていてもよい。このように構成すれば、ルアーは、着水後のリトリーブによって第一ボディの上部に第二ボディが配置された状態で泳動する。泳動時には、第一ボディと第二ボディとによって魚を模した疑似餌などのルアー全体の形態を成す。
【００１１】
また、前記第一ボディ及び前記第二ボディは、前後方向に延在する縦長形状に形成されており、前記第一ボディは、上面の前後方向に前記第二ボディを配置する凹状部を有し、前記第二ボディは、下面の前後方向に前記第一ボディの凹状部に沿う凸状部を有していてもよい。このように構成すれば、リトリーブ時に、第二ボディの凸状部が第一ボディの凹状部に密着して一体的なルアーとなる。
【００１２】
また、前記第一ボディの体幅は、前記第二ボディの体幅よりも大きく形成されていてもよい。このように構成すれば、リトリーブ時に下方から受ける水流抵抗を第一ボディで受けて、第二ボディが受ける水流抵抗を低減させることができる。
【００１３】
また、前記第一ボディは、前部フックと後部フックとを備え、前記第二ボディは、前記第一ボディの後部フックよりも後方に突出する尾部を備えていてもよい。このように構成すれば、第一ボディから後方に突出する第二ボディの尾部によってフィッシュイータを誘う。第二ボディの尾部に食いついたフィッシュイータに、第一ボディのフックが刺さりやすくできる。
【００１４】
また、前記尾部は、前記第二ボディの上部から上向きに延在する水受け面を有していてもよい。このように構成すれば、リトリーブ時に、尾部の水受け面が受ける水流で第二ボディを第一ボディに密着させることができる。
【発明の効果】
【００１５】
本発明によれば、重量材料で形成された第一ボディが先行して飛び、軽量材料で形成された第二ボディを備えたルアーの飛距離を伸ばすことが可能となる。
【図面の簡単な説明】
【００１６】
【図１】図１は、本発明の一実施形態に係るルアーを示す斜視図である。
【図２】図２は、図１に示すルアーのII−II断面の斜視図である。
【図３】図３は、図１に示すルアーの第二ボディの揺動範囲を示す斜視図である。
【図４】図４は、図１に示すルアーのキャスト時における状態を示す斜視図である。
【図５】図５は、図４に示すルアーが着水後に沈降する状態を示す斜視図である。
【図６】図６は、図５に示すルアーのリトリーブ時における状態を示す斜視図である。
【図７】図７は、図６に示すルアーのVII−VII断面図である。
【発明を実施するための形態】
【００１７】
以下、本発明の実施形態を図面に基づいて説明する。以下の実施形態では、前後方向に延在する縦長形状の小魚を模したルアー１を例に説明する。この明細書及び特許請求の範囲の書類中における前後方向は、頭部方向を前方、尾びれ方向を後方とする。また、前後方向と直交する横方向を左右方向とする。また、ルアー１の前後方向を縦方向ともいう。
【００１８】
（ルアーの構成）
図１及び図２に基づいて、一実施形態に係るルアー１を説明する。図１に示すように、ルアー１は、下方に位置する第一ボディ１０と、上方に配置される第二ボディ２０とを備えている。第一ボディ１０は、ルアー下部を摸した形態に形成されている。第二ボディ２０は、ルアー上部を摸した形態に形成されている。ルアー１は、第一ボディ１０の上部に第二ボディ２０が配置されることで、魚の形状を模した疑似餌としてのルアー全体の形態となる。
【００１９】
第一ボディ１０は、前後方向に延在する縦長形状に形成されている。第一ボディ１０は、この実施形態では重量材料である金属材料で形成されている。重量材料は、密度が３．０ｇ／ｃｍ３以上が好ましい。第一ボディ１０の前端部にはラインアイ１１が設けられている。第一ボディ１０の下部には、前部フックアイ１２と後部フックアイ１３とが設けられている。前部フックアイ１２には、スプリットリング１４で前部フック１５が取り付けられている。後部フックアイ１３には、スプリットリング１４で後部フック１６が取り付けられている。この実施形態の前部フック１５及び後部フック１６は、いずれも３本フックが用いられている。前部フック１５と後部フック１６は、２本フックを用いても、前後で異なるフックを用いてもよい。そして、第一ボディ１０の前部には、上向きに突出する第一ボディアイ１７が設けられている。第一ボディアイ１７は、第一ボディ１０の前後方向に延在している。
【００２０】
第二ボディ２０は、前後方向に延在する縦長形状に形成されている。第二ボディ２０は、前端部が尖り、中央部分が太く、後部がくびれた流線形で形成されている。第二ボディ２０は、後端部に尾部２２が備えられている。第二ボディ２０は、これらを一体成形で形成することができる。第二ボディ２０は、この実施形態では軽量材料であるポリ塩化ビニルで形成されている。第二ボディ２０は、シリコンゴムなどの軽量材料で形成することができる。軽量材料は、密度が１．５ｇ／ｃｍ３以下が好ましい。
【００２１】
第二ボディ２０の前端部には、前方に突出する第二ボディアイ２１が設けられている。第二ボディアイ２１は、第一ボディ１０の第一ボディアイ１７に連結されている。第二ボディ２０は、第二ボディアイ２１の部分でのみ第一ボディ１０に連結されている。第二ボディアイ２１は、第二ボディ２０を第一ボディ１０に連結する連結部である。第二ボディ２０は、第二ボディアイ２１の部分でのみ連結されている。よって、第一ボディ１０のラインアイ１１に接続されたライン３０を引くことで、第二ボディ２０は水流Ｆによって第一ボディ１０の上部に配置される（図６）。
【００２２】
第二ボディ２０の尾部２２は、第一ボディ１０の後部フック１６よりも後方に突出している。尾部２２は、第二ボディ２０の上部から上向きに突出する水受け面２３を有している。尾部２２は、水中Ｕを泳動することで水受け面２３が水流Ｆを受けて下向きに付勢される。水受け面２３は、例えば、魚の尾を模した形状にできる。尾部２２の形状及び水受け面２３の形状は、この実施形態に限定されない。尾部２２及び水受け面２３は、ルアー１の形状に応じて決定すればよい。
【００２３】
図２に示すように、第一ボディ１０の体幅Ｗ１は、第二ボディ２０の体幅Ｗ２よりも大きく形成されている。第一ボディ１０は、下方からの水流抵抗を受けて側方に逃がすようになっている。これにより、第二ボディ２０は、第一ボディ１０の上部に配置される部分では、下方からの水流が直接的に作用しない。第二ボディ２０は、第一ボディ１０の上部に配置される部分では、第一ボディ１０から離れる方向に水流が作用することを抑えている。よって、第二ボディ２０は、第一ボディ１０の上部に配置された状態が保たれる。
【００２４】
また、第一ボディ１０は、上面の前後方向に第二ボディ２０を配置する凹状部１８を有している。第二ボディ２０は、下面の前後方向に第一ボディ１０の凹状部１８に沿う凸状部２４を有している。これにより、第一ボディ１０の上面に第二ボディ２０が配置された状態で、第二ボディ２０の凸状部２４が第一ボディ１０の凹状部１８に密着した状態となる。よって、第二ボディ２０が第一ボディ１０に沿って一体的となった状態を適切に保つことができる。なお、第二ボディ２０と第一ボディ１０を密着させる構成は、磁石などを用いてもよい。
【００２５】
上記ルアー１によれば、第一ボディ１０の上部に第二ボディ２０が密着して一体となった状態にできる。よって、ルアー１は、着水後のリトリーブ時に、第一ボディ１０と第二ボディ２０とが一体となって魚を模した疑似餌の形態をなして水中を適切に泳動できる。
【００２６】
（第二ボディの揺動範囲）
図３に示すように、第二ボディ２０は、第二ボディアイ２１が第一ボディ１０の第一ボディアイ１７に連結されている。これにより、第二ボディアイ２１は、前後方向に延在する第一ボディアイ１７の後端から前端までの範囲で揺動自在となっている（白抜き矢印）。よって、第二ボディ２０は、実線と二点鎖線で示すように、第一ボディ１０の前後方向に揺動できる。第二ボディ２０は、二点鎖線で示すように、前端が第一ボディ１０の前端と向き合うように、前後が１８０度逆向きの状態まで揺動自在となっている。
【００２７】
（ルアーのキャスティング時における形態）
図４及び図５に基づいて、ルアー１のキャスト時から着水後に沈降する状態を説明する。図４に示すように、ルアー１は、キャストすることで飛行する。ルアー１は、第一ボディ１０が重量材料で、第二ボディ２０が軽量材料である。このため、飛行時には第一ボディ１０が先行して飛行する（白抜き矢印）。第二ボディ２０は、第一ボディ１０に対して揺動自在である。このため、飛行時には、重量材料の第一ボディ１０と軽量材料の第二ボディ２０とが直線状になった状態で飛行する。ルアー１は、第一ボディ１０と第二ボディ２０とが直線状になって飛行することで、飛行時の空気抵抗を減らすことができる。ルアー１は、第一ボディ１０が重量材料であるため、飛距離を伸ばすことができる。例えば、第二ボディ２０としてワームを用いた場合、ワームを備えたルアー１の飛距離を伸ばすことができる。ルアー１は、飛距離を伸ばすことで、狙えるポイントの距離範囲を広げることができる。
【００２８】
図５に示すように、ルアー１は、第一ボディ１０が重量材料であるため、第一ボディ１０から着水する。ルアー１は、着水後、第一ボディ１０から沈降する（白抜き矢印）。ルアー１は、第二ボディ２０が軽量材料であるため、先に沈降する第一ボディ１０に第二ボディアイ２１で連結された第二ボディ２０は、尾部２２が縦向きになった追従するように沈降する。
【００２９】
（ルアーのリトリーブ時における形態）
図６及び図７に基づいて、ルアー１のリトリーブ時における形態を説明する。図６に示すように、ルアー１は、沈降している状態からリトリーブによって第一ボディ１０のラインアイ１１に接続されたライン３０で前方に引かれる（白抜き矢印）。ルアー１は、リトリーブによって水流Ｆを受ける。第二ボディ２０は、水流Ｆによって第二ボディアイ２１が第一ボディアイ１７の後端に位置した状態となる。これにより、第二ボディ２０は第一ボディ１０の上面に沿った状態となり、第一ボディ１０と第二ボディ２０とが一体となった状態で泳動する。また、第二ボディ２０の尾部２２は、水流Ｆを水受け面２３で受ける。第二ボディ２０は、水受け面２３に作用する水流抵抗で第一ボディ１０に向けて付勢されて密着する。
【００３０】
図７に示すように、第一ボディ１０に向けて密着させられる第二ボディ２０は、第二ボディ２０の凸状部２４が第一ボディ１０の凹状部１８に密着させられる。また、第一ボディ１０の体幅Ｗ１は、第二ボディ２０の体幅Ｗ２よりも大きくなっている。これにより、ルアー１は、リトリーブ時に第一ボディ１０と第二ボディ２０とが重なった部分では、下方からの水流Ｆによる水流抵抗を第一ボディ１０で受けて第二ボディ２０に作用しない。よって、軽量材料の第二ボディ２０は、下方からの水流抵抗が低減されて第一ボディ１０から離れることが抑制される。このようなルアー１は、第一ボディ１０と第二ボディ２０とが密着して疑似餌としての一体的な全体形状を保った状態で安定して泳動させることができる。
【００３１】
さらに、図６に示すように、第二ボディ２０の尾部２２は、第一ボディ１０の後部フック１６よりも後方が第一ボディ１０から後方に突出している。尾部２２は、リトリーブ時に下方からの水流を受けて振れる。第二ボディ２０は、尾部２２が振れることでソフトルアーのような動きをする。第二ボディ２０は、尾部２２がソフトルアーのような動きをしてフィッシュイータを誘う。これにより、ルアー１は、フィッシュイータが食いつく機会を増やすことができる。
【００３２】
このように、ルアー１によれば、第一ボディ１０と第二ボディ２０とが一体となって泳動するため、一匹の魚のような泳動を損なわない。しかも、重量材料の第一ボディ１０により、軽量材料の第二ボディ２０を有するルアー１の飛距離を伸ばすことができる。
【００３３】
また、ルアー１は、第二ボディ２０の形状を異ならせることで、異なったアクションで泳動するルアーにできる。例えば、第二ボディ２０の尾部２２及び水受け面２３の形状を異ならせることで振れが異なるルアーにできる。
【００３４】
（その他の変形例）
第一ボディ１０及び第二ボディ２０は縦長に限定されるものではない。第一ボディ１０の上下方向寸法が大きく形成され、第二ボディ２０がその第一ボディ１０の上部に配置されるような構成でもよい。ルアー１の形態は、上記した実施形態に限定されるものではない。
【００３５】
また、第一ボディ１０の長さと第二ボディ２０の長さの比率は一例である。第一ボディ１０と第二ボディ２０の長さは同等でもよい。疑似餌として模す魚の形態に応じて、第一ボディ１０と第二ボディ２０の長さを決定することができる。また、第一ボディ１０の形態に応じて第二ボディ２０の連結部（第二ボディアイ２１）の位置を決定することができる。
【００３６】
本発明は、要旨を損なわない範囲での種々の構成を変更することは可能であり、本発明は上記した実施形態に限定されるものではない。
【符号の説明】
【００３７】
１  ルアー
１０  第一ボディ
１１  ラインアイ
１２  前部フックアイ
１３  後部フックアイ
１４  スプリットリング
１５  前部フック
１６  後部フック
１７  第一ボディアイ
１８  凹状部
２０  第二ボディ
２１  第二ボディアイ
２２  尾部
２３  水受け面
２４  凸状部
３０  ライン
Ｗ１  体幅
Ｗ２  体幅
【図１】
2019103429.tif 000003
【図２】
2019103429.tif 000004
【図３】
2019103429.tif 000005
【図４】
2019103429.tif 000006
【図５】
2019103429.tif 000007
【図６】
2019103429.tif 000008
【図７】
2019103429.tif 000009